(57)【要約】【課題】集塵袋に塵埃が大量に堆積して集塵袋を交換する場合に、集塵袋が格子状体に引掛り集塵室から容易に引き出すことができない。また、格子状体と仕切り壁の間に集塵フィルターを設けているので集塵フィルターのメンテナンスをする場合に、格子状体を取り外す必要があり使い勝手を悪化させている。さらに、吸引風路に備えた格子リブを傾斜させているため、吸引効率が悪く吸引力を低下させていた。【解決手段】下本体には集塵室と電動送風機を連通する開口部を設け、集塵袋と電動送風機の間で、かつ集塵室内に集塵袋側から着脱可能なフィルターを保持したフィルター枠部材を設け、そのフィルター枠部材をフィルター枠部材に設けた凸部と下本体に設けた開口部とで係止すると共に、集塵室に対してフィルター枠部材を上下に摺動自在に設けた。【選択図】  図１
2010178936.tif 000002
【特許請求の範囲】
【請求項１】
電動送風機と集塵室とを有する掃除機本体と、前記集塵室に着脱自在に設けられる集塵袋とを備えた電気掃除機において、
前記集塵室を上本体と回動可能な開閉蓋と下本体とで構成し、
前記下本体には集塵室と前記電動送風機を連通する開口部を設け、前記下本体の前記集塵袋と前記電動送風機との間で、かつ前記集塵室内に前記集塵袋側から着脱可能なフィルターを保持したフィルター枠部材を設け、前記フィルター枠部材に設けた凸部を前記下本体に設けた開口部で係止すると共に、前記集塵室に対して前記フィルター枠部材を上下に摺動自在に設けたことを特徴とする電気掃除機。
【請求項２】
請求項１において、
前記フィルター枠部材が摺動し上部に位置した状態で、前記開閉蓋を開放状態から回動した時に前記フィルター枠部材が前記開閉蓋によって押され下方へ摺動し、前記開閉蓋を閉めた状態では前記フィルター枠部材上部を開閉蓋で押さえたことを特徴とする電気掃除機。
【請求項３】
請求項２において、
前記フィルター枠部材の開閉蓋側に上方風路を設けるとともに、前記開閉蓋にリブを設け前記集塵袋と前記開閉蓋外郭との間で下方風路を構成すると共に前記下方風路と前記上方風路の位置を対向させたことを特徴とする電気掃除機。
【請求項４】
請求項１から請求項３のいずれかにおいて、
前記電動送風機前の開口部に格子状の第１のリブを設け、
前記フィルター枠部材にも格子状の第２のリブを設け、
前記第１および第２のリブの格子形状を一致させると共に前記第２のリブの本数を前記第１のリブの本数よりも少なくしたことを特徴とする電気掃除機。
【請求項５】
空気を吸い込み可能な電動送風機と、前記電動送風機の空気の吸い込み口側に設けられた集塵室と、前記集塵室に着脱自在な集塵体と、前記集塵室の前記電動送風機側壁面に設けられた部材とを備えた電気掃除機において、
前記部材は、前記集塵体の前記集塵室からの取り出し方向に摺動自在に、前記集塵室の前記電動送風機側壁面によって支持され、
前記部材は、単一部材で構成されることを特徴とする電気掃除機。
【請求項６】
請求項５において、
前記部材によって、膨張した集塵体と前記集塵室の前記電動送風機側壁面との間に空間または流路が形成されることを特徴とする電気掃除機。
【請求項７】
請求項５または請求項６において、
前記部材は、前記集塵室と前記電動送風機とを連通する開口部を覆うように前記集塵室の前記電動送風機側壁面に配置されることを特徴とする電気掃除機。
【発明の詳細な説明】
【技術分野】
【０００１】
本発明は、集塵袋形式の電気掃除機に関するものである。
【背景技術】
【０００２】
集塵袋に塵埃が堆積しても吸引力を持続させる構造の電気掃除機は、例えば、特開２００３−８８４８３号公報（特許文献１）に記載されている。
【０００３】
特許文献１に示される電気掃除機は、掃除機本体の集塵室側に電動送風機への塵埃の流入を防止する集塵フィルターを有する吸気格子状体を備え、吸気格子状体に対して吸引風が略水平方向からも流入可能な構成とし集塵袋に塵埃が堆積しても吸引力を持続させている。また、吸気格子状体の枠体外周よりも外側に格子リブを延設させることで仕切り壁との空間が溝となり吸引風の流れが生じて同様の効果を得ている。
【先行技術文献】
【特許文献】
【０００４】
【特許文献１】特開２００３−８８４８３号公報
【発明の概要】
【発明が解決しようとする課題】
【０００５】
しかしながら特許文献１に記載の発明では、集塵袋に塵埃が堆積しても吸引力を持続させることは可能であるが、集塵袋に塵埃が大量に堆積して集塵袋を交換する場合に、集塵袋が格子状体に引掛り集塵室から容易に引き出すことができない。また、格子状体と仕切り壁の間に集塵フィルターを設けているので集塵フィルターのメンテナンスをする場合に、格子状体を取り外す必要があり使い勝手を悪化させている。さらに、吸引風路に備えた格子リブを傾斜させているため、吸引効率が悪く吸引力を低下させていた。
【０００６】
本発明の目的は、塵埃を集塵した集塵袋の取り出しが容易にでき、吸引効率が良好で吸引力を高くすることが可能で、かつ集塵袋に塵埃が堆積しても吸引力を持続させることができる電気掃除機を提供することにある。
【課題を解決するための手段】
【０００７】
本発明は、電動送風機と集塵室とを有する掃除機本体と、前記集塵室に着脱自在に設けられる集塵袋とを備えた電気掃除機において、前記集塵室を上本体と回動可能な開閉蓋と下本体とで構成し、前記下本体には集塵室と前記電動送風機を連通する開口部を設け、前記下本体の前記集塵袋と前記電動送風機との間で、かつ前記集塵室内に前記集塵袋側から着脱可能なフィルターを保持したフィルター枠部材を設け、前記フィルター枠部材に設けた凸部を前記下本体に設けた開口部で係止すると共に、前記集塵室に対して前記フィルター枠部材を上下に摺動自在に設けた。これにより、塵埃を集塵した集塵袋の取り出しが容易にできる。
【０００８】
また、好ましくは、前記フィルター枠部材が摺動し上部に位置した状態で、前記開閉蓋を開放状態から回動した時に前記フィルター枠部材が前記開閉蓋によって押され下方へ摺動し、前記開閉蓋を閉めた状態では前記フィルター枠部材上部を開閉蓋で押さえた。これにより、電動送風機に塵埃が吸引されることを防止できる。
【０００９】
また、好ましくは、前記フィルター枠部材の開閉蓋側に上方風路を設けるとともに、前記開閉蓋にリブを設け前記集塵袋と前記開閉蓋外郭との間で下方風路を構成すると共に前記下方風路と前記上方風路の位置を対向させた。これにより、集塵袋に塵埃が堆積しても吸引力を持続させることができる。
【００１０】
また、前記電動送風機前の開口部に格子状の第１のリブを設け、前記フィルター枠部材にも格子状の第２のリブを設け、前記第１および第２のリブの格子形状を一致させると共に前記第２のリブの本数を前記第１のリブの本数よりも少なくした。これにより、吸引効率が良好で吸引力を高くすることができる。
【００１１】
また、本発明は、空気を吸い込み可能な電動送風機と、前記電動送風機の空気の吸い込み口側に設けられた集塵室と、前記集塵室に着脱自在な集塵体（例えば、集塵袋，集塵ケース）と、前記集塵室の前記電動送風機側壁面に設けられた部材（例えば、フィルター枠部材）とを備えた電気掃除機において、前記部材は、前記集塵体の前記集塵室からの取り出し方向に摺動自在に、前記集塵室の前記電動送風機側壁面によって支持され、前記部材は、単一部材で（単一構造物として）構成した。これにより、塵埃を集塵した集塵体の取り出しが容易にでき、吸引効率が良好で吸引力を高くすることが可能で、かつ集塵体に塵埃が堆積しても吸引力を持続させることができるだけでなく、部材の製造および部材の取り付けを簡素化できる。
【発明の効果】
【００１２】
本発明によれば、塵埃を集塵した集塵袋の取り出しが容易にでき、吸引効率が良好で吸引力を高くすることが可能で、かつ集塵袋に塵埃が堆積しても吸引力を持続させることができる。
【図面の簡単な説明】
【００１３】
【図１】本発明の実施の形態の一例に係る掃除機本体の外観図である（集塵室から集塵袋，フィルターを取り外した状態）。
【図２】本発明の実施の形態の一例に係る電気掃除機の全体外観図である。
【図３】本発明の実施の形態の一例に係る掃除機本体の外観図である。
【図４】本発明の実施の形態の一例に係る掃除機本体の断面図である（集塵袋が膨らんだ状態）。
【図５】本発明の実施の形態の一例に係る掃除機本体の外観図である。
【図６】本発明の実施の形態の一例に係る掃除機本体の外観図である。
【図７】本発明の実施の形態の一例に係る掃除機本体の外観図である。
【図８】本発明の実施の形態の一例に係る掃除機本体の断面図である。
【図９】本発明の実施の形態の一例に係る掃除機本体一部の外観図である。
【図１０】本発明の実施の形態の一例に係る掃除機本体の断面図である。
【図１１】本発明の実施の形態の一例に係る掃除機本体の外観図である。
【図１２】図１０のＰ部拡大図である。
【図１３】本発明の実施の形態の一例に係る掃除機本体の外観図である。
【図１４】図１３のＡ−Ａ断面図である。
【図１５】フィルター枠部材の外観図である。
【発明を実施するための形態】
【００１４】
本発明は、電動送風機と集塵室とを有する掃除機本体と、集塵室に着脱自在に設けられる集塵袋とを備えた電気掃除機において、集塵室を上本体と回動可能な開閉蓋と下本体とで構成し、下本体には集塵室と電動送風機を連通する開口部を設け、下本体の集塵袋と電動送風機との間で、かつ集塵室内に集塵袋側から着脱可能なフィルターを保持したフィルター枠部材を設け、フィルター枠部材に設けた凸部を下本体に設けた開口部で係止すると共に、集塵室に対してフィルター枠部材を上下に摺動自在に設けた。これにより、塵埃を集塵した集塵袋の取り出しが容易にできる。
【００１５】
また、本発明は、空気を吸い込み可能な電動送風機と、電動送風機の空気の吸込口側に設けられた集塵室と、集塵室に着脱自在な集塵体と、集塵室の電動送風機側壁面に設けられた部材とを備えた電気掃除機において、部材は、集塵体の集塵室からの取り出し方向に摺動自在に、集塵室の電動送風機側壁面によって支持され、部材は、単一部材で構成した。これにより、塵埃を集塵した集塵体の取り出しが容易にでき、吸引効率が良好で吸引力を高くすることが可能で、かつ集塵体に塵埃が堆積しても吸引力を持続させることができるだけでなく、枠部材の製造および開口部を形成する部材への取り付けを簡素化できる。
〔実施例〕
以下、本発明の実施の形態の一例を添付の図面に基づいて説明する。
【００１６】
図２は本発明の実施の形態の一例に係る電気掃除機の全体外観図である。２０１は、被清掃面にある塵埃を含んだ空気を吸い込む吸口、２０２は吸口に連通し空気が通る延長管、２０３は延長管に連通し空気が通る可撓性のホース、２０４はホースに連通し塵埃を捕集する掃除機本体である。そして、吸口２０１から吸引された塵埃は延長管２０２，ホース２０３を通り掃除機本体２０４に集塵される。
【００１７】
図３は本発明の実施の形態の一例に係る掃除機本体の外観図である。掃除機本体を、掃除機の使用状態で、横置きにした状態である。掃除機本体のホース接続口（吸込口）４０４がある側を前側とし、開閉蓋３０３がある側を上側とする。よって、下方向とは、重力作用方向である。
【００１８】
掃除機本体２０４は上本体３０１と下本体３０２で構成し、その内部に空気を吸い込み可能な電動送風機（図示せず）を備えている。上本体３０１に対して、電動送風機側上部に回動可能な開閉蓋３０３を設けており、下本体３０２の電動送風機に対して区画された部分（空間）と開閉蓋３０３で集塵室３０４を構成している。集塵室３０４は、掃除機本体２０４の前側で電動送風機よりも前方に配置され、また、電動送風機よりも空気の流れに沿って上流側（電動送風機の吸込口の上流側）に配置される。開閉蓋３０３が閉じられた状態では、開閉蓋３０３が集塵室３０４の上側を気密にするのが好ましい。集塵室３０４には上下方向に着脱自在な集塵袋３０５を備える。集塵袋３０５の吸込口の外枠が、集塵室３０４内のホース接続口４０４の出口端の両脇に設けられたスライドリブ（図示せず）に、下方向へ挿入されることにより、集塵袋３０５が集塵室３０４内に支持される。電動送風機と集塵袋３０５の間で、かつ集塵室内には電動送風機への塵埃吸引防止用のフィルターを備えたフィルター枠部材３０６を設けている。このフィルターとフィルター枠部材３０６とでフィルター部を形成する。このフィルターの目は、集塵袋３０５の目よりも粗いが、集塵室内に残った塵埃が電動送風機へ吸い込まれるのを防止することができる。ただし、フィルター枠部材３０６は、流路を確保できればよく、フィルターが設けられることまでは必須ではない。
【００１９】
図４は本発明の実施の形態の一例に係る掃除機本体の断面図である。
【００２０】
電動送風機４０１と集塵袋３０５の間の集塵室３０４内に、フィルター４０３を保持したフィルター枠部材３０６を備える。フィルター４０３は集塵袋３０５側から使用者によって着脱可能に保持している。掃除機を運転すると電動送風機４０１が吸引力を発生し、集塵室３０４と連通した開口部４０２から空気を吸い込む。集塵袋３０５はホース接続口４０４から流入した含塵空気によって図示のように膨張する。集塵袋３０５は膨張した際の大きさが集塵室３０４の大きさよりもやや大きく作られており、集塵袋３０５が膨張すると集塵室内部の上下左右の壁に張りついていき、塵埃が多量になると空気の流れを阻害してしまう。集塵袋３０５が膨張していない状態（取り付け当初）では、集塵袋３０５の吸込口に対向する集塵袋３０５の面（底面）がフィルター枠部材３０６から離れており、集塵袋３０５が膨張した状態では、集塵袋３０５の吸込口に対向する集塵袋３０５の面（底面）がフィルター枠部材３０６に当接されることになる。本発明の実施の形態では、開閉蓋３０３の内側に集塵袋３０５が張り付かないように前後方向に延びるリブ状の流路確保部材４０５を設けて、開閉蓋３０３と集塵袋３０５の間に空間（流路）４０６を保ち掃除機の吸引力が低下するのを防止している。さらに、フィルター枠部材３０６によって集塵袋３０５が膨張した場合にも集塵袋３０５と開口部４０２の間の空間を保ち吸引力が低下するのを防止している。
【００２１】
次に本発明の主要部になる、フィルター枠部材３０６について、図１および図５，図６，図７，図８を参照し説明する。図１は開閉蓋３０３を開いた状態で、集塵袋３０５，フィルター４０３がない場合を表している。フィルター枠部材３０６は上下方向に（集塵袋３０５の集塵室３０４からの取り出し方向に）摺動可能にしており、図１は摺動可能範囲の上端に位置した状態である。通常、フィルター枠部材３０６は摺動可能範囲の下端に位置しているが、使用者が上方へ引き出して電動送風機（図示せず）前のフィルター４０３を取り外すことが容易にできる。開口部４０２は、その入口端が略円形状であり、掃除機本体２０４の前方から見て、中央（ホース接続口４０４）からやや左側に配置される。フィルター枠部材３０６は、略長方形状であり、開口部４０２を覆うように形成され、掃除機本体２０４の前方から見て、中央（ホース接続口４０４）からやや左側に配置される。フィルター枠部材３０６の下端は、フィルター枠部材３０６の収納時に集塵室３０４に当接されてもよいし、されていなくてもよい。フィルター枠部材３０６を、右側まで設けていないのは、空間（流路）を確保するためである。この結果、集塵袋３０５が膨張した場合に、集塵袋３０５の底面の左側のみがフィルター枠部材３０６に当接することになる。
【００２２】
図５は塵埃を吸引した集塵袋３０５を引き出した状態を表している。このように使用者が集塵袋３０５を交換するときに上方向に引き出すと、通常はフィルター枠部材３０６が上下方向に摺動しないため、フィルター枠部材３０６が集塵袋３０５に引っ掛かって引き出しを阻害する。しかし本発明では、フィルター枠部材３０６が上方向に摺動するので集塵袋３０５と一緒に引き出されて容易に集塵袋３０５を引き出すことができ、容易に集塵袋３０５を交換できる。尚、集塵袋３０５を引き出した状態では、フィルター枠部材３０６の上端が、開閉蓋３０３の内面に形成された支骨やリブに当たる。
【００２３】
図６は集塵袋３０５を引き出した状態の側面図であり、フィルター枠部材３０６と集塵袋３０５が一緒に上方に引き出されていることがわかる。
【００２４】
その後、図７に示すように集塵袋３０５を簡単に取り外すことができるので集塵袋３０５の交換が非常に簡単である。そして、集塵袋３０５が取り外された直後に、フィルター枠部材３０６は自重により、下方向へ（重力作用方向へ）下端まで戻ってもよいし、静止摩擦力によりフィルター枠部材３０６が上端または上部に溜まっていてもよい。
【００２５】
図８は、集塵袋３０５を引き出した状態の横断面図である。特に集塵袋３０５は引き出し始める最初の引掛りが取り外しにくさの原因であるため図８に示すようにフィルター枠部材３０６の上方向への摺動によって集塵袋３０５の略半分が集塵室３０４から出ているので片手で簡単に集塵袋３０５を取り外せる。フィルター枠部材３０６の摺動範囲は、フィルター枠部材３０６の上下方向の長さの半分程度であり、あるいは、膨張した集塵袋３０５の底面の上下方向の長さの半分程度である。
【００２６】
図９は集塵袋を交換した後の状態（フィルター４０３は図示せず）を表しており、フィルター枠部材３０６が摺動し上部に位置した状態で、開閉蓋３０３を開放状態から閉塞状態へ回動した時には、図１０に示すようにフィルター枠部材３０６は開閉蓋３０３の内面の支骨またはリブなどによって押されて下方へ摺動し、その結果開閉蓋３０３の回転動作に連動して下端位置へ導かれるので、使用者がフィルター枠部材３０６を下方へ下げる必要がないことから使い勝手が良い。
【００２７】
また、図４に示すように、開閉蓋３０３を閉めた状態ではフィルター枠部材３０６上部を開閉蓋で押さえている。これにより、フィルター４０３の位置を確実にセットできるので、電動送風機へ塵埃が吸引されることを防止できる。
【００２８】
図１１は、開閉蓋３０３を途中まで閉めた状態である。開閉蓋３０３の内側には流路確保部材４０５を設けており、集塵袋３０５が膨らんで開閉蓋３０３の内面に張り付くのを防止して、空間４０６を確保し、電動送風機への風の流れる流路を確保している。また、開閉蓋３０３の内側で流路確保部材４０５の後端には、開閉蓋３０３を閉じた形態で上下方向に延びる複数のリブ１１０１を設けている。これにより、集塵袋３０５が膨らんでも集塵袋３０５が開閉蓋３０３に張り付かないように、下方風路１１０２（空間）を構成している。さらに、図９に示すように、フィルター枠部材３０６の上端には、前述の複数のリブ１１０１に形成される下方風路１１０２の開口と対向した位置に、上下方向に開口する上方風路９０１が開けてある。これにより、開閉蓋３０３の内側を通った空気はスムーズに電動送風機へ導かれる。
【００２９】
次にフィルター枠部材３０６の詳細な取り付け状態を図１２から図１５を用いて説明する。図１２は図１０のＰ部拡大図である。フィルター枠部材３０６は全体を格子状としており空気の流れる時の抵抗をできるだけ小さくして吸引力を高めている。集塵袋３０５側にはフィルター４０３を設けており、電動送風機側への塵埃進入を防止している。フィルター枠部材３０６は前述の格子の一部（上下方向のほぼ中間部分）を電動送風機側に突出した凸部１２０１としている。下本体３０２の開口部４０２にも格子状（上下左右に延びる）のリブ１２０２があり、凸部１２０１がリブ１２０２に係止することでフィルター枠部材３０６が下本体３０２からの抜け止めとなっている。
【００３０】
電気掃除機の組み立て時には、図１４に示す下本体のＬ字状部分１４０１にフィルター枠部材３０６を下方向へ挿入するだけで、凸部の上端が直角であるのに対して凸部の下端が湾曲部１２０３（次第に小さくなるテーパ状）になっているので、凸部の湾曲部１２０３がリブ１２０２を乗り越えて簡単にフィルター枠部材３０６を下本体３０２にセットできる。また部品点数もフィルター枠部材３０６と下本体３０２だけで上記摺動機構を構成できるので生産性に優れ、コストを抑えた電気掃除機を提供できる。Ｌ字状部分１４０１は、集塵室３０４の電気掃除機側壁面でかつ開口部４０２の両脇に形成され、上下方向（フィルター枠部材３０６の摺動方向）に延び、その上下方向断面が略Ｌ字状である。Ｌ字状部分１４０１と集塵室３０４の電気掃除機側壁面との間で、フィルター枠部材３０６の左右方向両側を、上下方向に摺動自在に保持している。
【００３１】
図１３はフィルター枠部材３０６を集塵室３０４側から見た図（フィルター４０３は図示せず）である。フィルター枠部材３０６の格子部１３０１は下本体３０２の開口部４０２に設けた格子状のリブ１２０２と、前後方向で完全に一致しているので空気の流れる時の抵抗をできるだけ小さくして吸引力を高めている。また、図１４からわかるようにフィルター枠部材３０６の格子部１３０１の本数は開口部４０２に設けた格子状のリブ１２０２の本数よりも少なくするのが好ましい。これにより、更に空気の流れる時の抵抗を小さくして吸引力を一際高めることができる。
【００３２】
以上述べたように、塵埃を集塵した集塵袋の取り出しが容易にでき、吸引効率が良好で吸引力を高くすることが可能で、かつ集塵袋に塵埃が堆積しても吸引力を持続させることができる使い勝手の良い電気掃除機を提供することができる。
【００３３】
図１５にフィルター枠部材３０６の外観図を示す。フィルター枠部材３０６は、フィルター枠部材３０６は、略長方形状の外郭と、上下方向に延びる複数の支骨と、左右方向に延びる複数の支骨と、上下方向に延びる複数の支骨のうちの２つに支骨に形成された凸部１２０１と、外郭に設けられてフィルターを保持するためのリブ１５０１とを有する。上下方向に延びる複数の支骨の上下端および左右方向に延びる複数の支骨の左右端は、外郭によって支持され、上下方向に延びる複数の支骨と左右方向に延びる複数の支骨とは互いにその接触点で支持し合っている。フィルター枠部材３０６は、単一部材（単一の構造物）で構成している。フィルター枠部材３０６は、プラスチックで構成されるのが好ましく、型成形されるのが好ましい。凸部１２０１は、フィルター枠部材３０６の上下方向の中間よりもやや下側に形成するのが好ましい。上下方向に延びる複数の支骨と左右方向に延びる複数の支骨とで格子を形成している。外郭の上部には、上下方向に開口する上方風路９０１を形成してある。上方風路９０１は、上下方向に延びる複数の支骨と左右方向に延びる複数の支骨よりも前側に形成し、フィルターよりも前側に形成するのが好ましい。
【００３４】
尚、以上の実施の形態では、フィルター枠部材３０６が上下方向に摺動する機構としたが、フィルター枠部材３０６の上部を支点として、フィルター枠部材３０６が回動し、フィルター枠部材３０６の下部が集塵室３０４側へ回動する機構であってもよい。また、以上の実施の形態では、フィルター枠部材３０６を集塵室３０４の電動送風機４０１側壁面に形成したが、集塵室３０４の側壁面の一方または両方に形成してもよい。
【符号の説明】
【００３５】
２０１  吸口
２０２  延長管
２０３  ホース
２０４  掃除機本体
３０１  上本体
３０２  下本体
３０３  開閉蓋
３０４  集塵室
３０５  集塵袋
３０６  フィルター枠部材
４０１  電動送風機
４０２  開口部
４０３  フィルター
４０４  ホース接続口
４０５  流路確保部材
４０６  空間
９０１  上方風路
１１０１  開閉蓋のリブ
１１０２  下方風路
１２０１  凸部
１２０２  下本体のリブ（格子）
１２０３  湾曲部
１３０１  フィルター枠部材の格子
１４０１  Ｌ字状部分
１５０１  リブ
【図１】
2010178936.tif 000003
【図２】
2010178936.tif 000004
【図３】
2010178936.tif 000005
【図４】
2010178936.tif 000006
【図５】
2010178936.tif 000007
【図６】
2010178936.tif 000008
【図７】
2010178936.tif 000009
【図８】
2010178936.tif 000010
【図９】
2010178936.tif 000011
【図１０】
2010178936.tif 000012
【図１１】
2010178936.tif 000013
【図１２】
2010178936.tif 000014
【図１３】
2010178936.tif 000015
【図１４】
2010178936.tif 000016
【図１５】
2010178936.tif 000017